(57)【要約】【課題】自転車のペタルを踏み込んだ場合、そのペダルの戻りを早める方策の技術は見当たらない。【解決手段】ラグ式の自転車チタンフレームで構成されるトップチューブ、ダウンチューブで交差されるヘッドラグ近傍に、トップチューブ、ダウンチューブの外周に所要幅で且つ薄い帯状カーボン材を巻き付け一体化したことで、ペタルを踏込みと車体（フレーム）が傾き、その復元力にダウンチューブ等に巻き付けたチタンチューブと一体のカーボン材作用で車体の傾きが素早く戻る方向に働き、ペタル等の回転効率が向上し、スピードアップに繋げようとするものである。。【選択図】図２
2020142784.tif 000002
【特許請求の範囲】
【請求項１】
ラグ式の自転車チタンフレームで構成されるトップチューブ、ダウンチューブで交叉されるヘッドアングル近傍に、トップチューブ、ダウンチューブの外周に所要幅で且つ薄い帯状カーボン材を巻き付け一体化したことを特徴とする自転車フレーム構造
【請求項２】
ラグ式の自転車チタンフレームで構成されるダウンチューブとシートチューブで交叉されるラグアングル近傍に、ダウンチューブ、シートチューブの外周に所要幅で且つ薄い帯状カーボン材を巻き付け一体化したことを特徴とする自転車フレーム構造。
【請求項３】
ラグ式の自転車チタンフレームで構成されるトップチューブとシートチューブで交叉されるシートアングル近傍に、トップチューブ、シートチューブの外周に夫々所要幅で且つ薄い帯状カーボン材を巻き付け一体化したことを特徴とする自転車フレーム構造。
【請求項４】
ラグ式の自転車チタンフレームで構成されるトップチューブとダウンチューブ及びダウンチューブとシートチューブ更にトップチューブとシートチューブ外周に一体的巻き付けられる薄い帯状カーボン材とは接着で一体化したことを特徴とする自転車フレーム構造。
【発明の詳細な説明】
【技術分野】
【０００１】自転車ロードレース用の自転車フレーム構造に関するものである
【背景技術】
【０００２】一般にロードレース用自転車でフレーム自体そのものをチタン材で構成し、軽量化、高剛性を図り、またカーボン材で高い弾性、耐熱性を有した構成ものも知られている。
【先行技術文献】
【特許文献】
【０００３】
【特許文献１】特開平８−５３０９チタン製自転車フレームの表面処理方法に関すもので、チタンそのものの表面を鏡面仕上げする内容のものである。
【特許文献２】特開２０１０−６４５０８  ラグ式の自転車カーボンフレームであって、フレームを構成するチューブの内、どれか１本あるいは２本を新たに交換することにより、新たに特性の異なったフレームを作る内容もので、カーボン材そのものの自転車である。
【発明の概要】
【発明が解決しようとする課題】
【０００４】  自転車ロードレースでスピードを競う場合など、自転車そのものの重量が軽量且つ剛性があることが望ましいことは言うまでもないが、ペタルを踏み込む踏力が強く、そのペタルを踏み込んだ後、ペタルの返しが素早く戻ることで、ペタルの回転が早まりスピードアップに繋がっていくが、このペタルの返しの効率をアップすることが不可欠でその技術が今だ追及されていない。
【課題を解決するための手段】
【０００５】    ラグ式の自転車チタンフレームで構成されるトップチューブ、ダウンチューブで交差されるヘッドアングル近傍に、トップチューブ、ダウンチューブの外周に所要幅で且つ薄い帯状カーボン材を巻き付け一体化したことで、ペタルを踏込みと車体（フレーム）全体が左右いずれかに傾き、その復元力にダウンチューブ等に巻き付けたチタンチューブと一体のカーボン材反発力作用で車体の傾きを素早く戻る方向に働かせ、ペタル等の回転効率が向上し、スピードアップに繋げようとするものである。。
【発明の効果】
【０００６】      左右のペダルを夫々踏み込んだ際、車体も左右どちらかに傾き、傾きから立ちなろうとし、また踏み込んだペダルの返しが素早く戻り、ペダルの回転力が増し、スピードアップに繋がる効果をもたらす、またチタン材、カーボン材の一体化フレームとなっており、軽量、剛剛性であり、柔軟性、耐熱性等優れた効果を有する。
【図面の簡単な説明】
【０００７】
【図１】自転車の全体図
【図２】自転車骨格のフレーム構造
【図３】イ部拡大詳細図
【図４】ロ部拡大詳細図
【図５】ハ部拡大詳細図
【発明を実施するための形態】
【０００８】本発明の実施の形態を図１〜図５に基づいて説明する。
【実施例】
【０００９】  図１は自転車の全体図で、車体（フレームに前輪、後輪が取り付けられ、ペダルが左右に１８０°位相をずらして位置で取り付けられ、その中心部に歯車を介して後輪の歯車とチェーンを介して連結し、トップチューブの上部にサドルが固定され、その先端にはハンドルが取り付けられている構成になっている。図２においては、フレームの骨格状態図で、トップチューブ１とダウンチューブ２の先端がヘッドアングル４に溶着され一体化されている、Ａ，Ｂは溶着部であり、▲イ▼部拡大図の如く、その外周を薄い帯状カーボン材で覆っている。
ダウンチューブ２の他端とシートチューブ３の他端はラグアングル５に溶着されている。Ｃ，Ｄ部は溶着部であり、１７▲ハ▼部拡大図の如く、薄い帯状カーボン材で覆われている、シートチューブ３の先端とトップチューブ１との他端はシートアングル６に溶着されている。Ｅ，Ｆ部は溶着部であり、１６▲ロ▼部拡大図の如く薄い帯状カーボン材で覆われている。７はリヤーチューブアップＲで、８はリヤーチューブダウンＲである。１８はリヤーチューブアップＬで、１９はリヤーチューブダウンＬである。リヤーチューブＲ，７，８，リヤーチューブＬ，１８，１９は夫々、シートアングル１６、ラグアングル１７に溶着されている。１５の薄いカーボン材Ｘは、ヘッドアングル４及びトップチューブ１、ダウンチューブ２の外周に巻き付けられ接着剤等でそれぞれのチューブと一体化されている。１６の薄いカーボン材Ｙは、トップチューブ１の他端及びシートチューブの先端、更にリヤーチューブアップＲ，リヤーチューブアップＬがシートアングル６に溶着されている夫々の外周に１６シートポットカーボンＹが巻き付けられ接着剤等で一体化されている。１７のラグカーボンＺは、ダウンチューブ２の他端、シートチューブ３の他端、更に７のリヤーチューブアップＲ、８のリヤーチューブダウンＲがラグアングル５に溶着されているその外周を覆っており、接着剤等で一体化されている。この１５のヘッドカーボンＸ，１６のシートポットカーボンＹ，ラグカーボンＺの連結部はペタルを踏み込んだ際、車体が傾き歪が生じる、この歪を是正すべく作用し、その復元作用で、車体が正常位置に戻そうとする補助作用が働き、ペダルの回転力も増加し増速に繋がる。
、図示部は薄い帯状カーボンが巻き付いている状態を表している。帯状カーボンは、ヘッドアングル４、ラグアングル５、シートアングル６の夫々位置から、０，１ミリの厚さで、１０ｍｍ〜１５ｍｍの幅が望ましいことが実験で確認された。０，１ミリの厚さを数枚重ねて使用することも可能で、反発係数を強く求めたい場合等適宜条件に応じて使用する。
【符号の説明】
【００１０】  １トップチューブ
２ダウンチューブ
３シートチューブ
４ヘッドアングル
５ラグアングル
６シートアングル
７リヤーチューブアップＲ
８リヤーチューブダウンＲ
９駆動チェーン
１０前輪
１１後輪
１２ペダル
１３ハンドル
１４サドル
１５ヘッドパイプ用ヘッドカーボンＸ
１６シートポットアップカーボンＹ
１７ラグカーボンＺ
１８リヤーチューブアップＬ
１９リヤーチューブダウンＬ
２０ギヤー
【図１】
2020142784.tif 000003
【図２】
2020142784.tif 000004
【図３】
2020142784.tif 000005
【図４】
2020142784.tif 000006
【図５】
2020142784.tif 000007